(57)【要約】【課題】  スイングの正確性とスイング速度の増大に最適なスイング練習装置を提供する。【解決手段】打球用スイング用具のフェース部にボールを感知する複数の接触感知接点を設け、スイング用具のグリップ部に接触感知接点からの信号を処理する接触感知装置を設ける。スイング用具で球体を打ったとき、フェース部のどの箇所に球体が当たったかを接触感知装置で感知し、この感知データを加工処理して記録又は表示する。更に、スイング用具のスイングスピード測定部位に、信号発信接点と信号受信接点を設け、グリップ部に各接点に接続する速度処理装置を設けるる。速度処理装置は、信号発信接点から電磁波を発信し、この電磁波の反射波を前記信号受信接点で受信して、スイング速度を演算し、演算データを加工処理して記録又は表示する。【選択図】  図１
2011083356.tif 000002
【特許請求の範囲】
【請求項１】
スイートスポットを有する打球用スイング用具のスイートスポットを含むフェース部にボールを感知する接触感知接点を設け、前記スイング用具のグリップ部に前記接触感知接点からの信号を処理する接触感知装置を設け、前記スイング用具で球体を打ったとき、前記フェース部のどの箇所に球体が当たったかを前記接触感知装置で感知し、この感知データを加工処理して記録又は表示するようにしたことを特徴とするスイング練習装置。
【請求項２】
前記スイング用具のスイングスピード測定部位に、信号発信接点と信号受信接点を設け、前記グリップ部に前記各接点に接続する速度処理装置を設け、該速度処理装置は、前記信号発信接点から電磁波を発信し、この電磁波の反射波を前記信号受信接点で受信して、スイング速度を演算し、該演算データを加工処理して記録又は表示するようにしたことを特徴とする請求項１に記載のスイング練習装置。
【請求項３】
スイートスポットを有する打球用スイング用具のスイートスポットを含むフェース部にボールを感知する接触感知接点を設け、前記スイング用具のグリップ部に前記接触感知接点からの信号を処理する接触感知装置を設け、前記スイング用具のスイングスピード測定部位に、信号発信接点と信号受信接点を設け、前記グリップ部に前記各接点に接続する速度処理装置を設け、前記スイング用具で球体を打ったとき、前記フェース部のどの箇所に球体が当たったかを前記接触感知装置で感知し、この感知データを加工処理して記録又は表示するとともに、前記速度処理装置は、前記信号発信接点から電磁波を発信し、この電磁波の反射波を前記信号受信接点で受信して、スイング速度を演算し、該演算データを加工処理して記録又は表示するようにしたことを特徴とするスイング練習装置。
【発明の詳細な説明】
【技術分野】
【０００１】
本発明は、ゴルフ、野球、テニス、バトミントンなどのスポーツに使用されるゴルフクラブ、野球バット、テニスラケット、バトミントンラケットなどの打球用具用のスイング練習装置に関するものである。
【背景技術】
【０００２】
打球用具特にゴルフクラブを用いたゴルフ用の各種のスイング練習装置が知られている（例えば特開２００６−２４７３６５号公報参照）。
【先行技術文献】
【特許文献】
【０００３】
【特許文献１】特開２００６−２４７３６５号公報
【発明の概要】
【発明が解決しようとする課題】
【０００４】
ゴルフクラブ、野球バット、テニスラケット、バトミントンラケットなどの打球用スイング用具は、ヘッドスピードが速ければ速いほど、ボールはその反発力でスピードが加わり遠くに飛ばすことができる。又シャトル（球体）も同様に反発力のある返球ができる。またゴルフなどの打球用スイング用具は、その道具が持つ一番の反発力の強く出るスイートスポットにボールが当たると飛距離と反発力がより強いものとなる。
そこで本発明は、スイング速度の増大と、スイートスポットに正確に当てる技術の向上を効果的に図ることができるようにした打球スポーツ用スイング練習装置を提供することを目的とする。
【課題を解決するための手段】
【０００５】
上記目的を達成するため、本発明は、スイートスポットを有する打球用スイング用具のスイートスポットを含むフェース部にボールを感知する接触感知接点を設け、前記スイング用具のグリップ部に前記接触感知接点からの信号を処理する接触感知装置を設け、前記スイング用具のスイングスピード測定部位に、信号発信接点と信号受信接点を設け、前記グリップ部に前記各接点に接続する速度処理装置を設け、前記スイング用具で球体を打ったとき、前記フェース部のどの箇所に球体が当たったかを前記接触感知装置で感知し、この感知データを加工処理して記録又は表示するとともに、前記速度処理装置は、前記信号発信接点から電磁波を発信し、この電磁波の反射波を前記信号受信接点で受信して、スイング速度を演算し、該演算データを加工処理して記録又は表示するようにしたものである。
【発明の効果】
【０００６】
本発明は、ゴルフ等のクラブのスイング速度を増大させ、スイートスポットに球体を正確に当てる練習に最適である。
【図面の簡単な説明】
【０００７】
【図１】本発明の全体外観図である。
【図２】本発明の一部の断面図である。
【図３】本発明の一部の断面図である。
【図４】本発明の一部の外観図である。
【発明を実施するための形態】
【０００８】
以下に本発明の構成を添付した図面を示すゴルフ用スイング練習具を参照して詳細に説明する。
ゴルフ用スイング練習具（２）は、グリップ部（４）と、シャット部（６）とヘッド部（８）とから構成され、全体としてゴルフのクラブとほぼ同一の形状と重量を備えている。
【０００９】
キャップ（１０）が取り付けられたグリップ部（４）の筒体（１２）の内部には、配線基板衝撃吸収材（１４）を介してプリント配線基板（１６）が配設され、これに、取り出し自在なメモリースティック（１８）、ＬＥＤランプ（２０）、電池２４を充電するための充電プラグコンセント（２２）、電池（２４）用のホルダー、電波発信装置（２６）、情報信号・音色信号発信処理装置（２８）、マイクロプロセッサー（３０）、速度処理装置（３２）、接触感知装置（３４）、スピーカー（３６）が取り付けられている。
【００１０】
前記プリント配線基板（１６）に取り付けられた各装置には、電池（２４）から電源が供給されるように配線されている。グリップ部（４）の筒体（１２）の外周面には、ゴムスイッチ（３８）が嵌着され、グリップ部（４）を握るとスイッチがオンとなり、本装置に電源が入り、ＬＥＤランプ（２０）が点灯するようになっている。
【００１１】
ヘッド部（８）は内部が空洞に形成され、フェイス部（８a）に複数の接触感知接点（４０）が配設され、ソウル部（８b）に信号発信接点（４２）と信号受信接点（４４）が配設されている。前記複数の接触感知接点（４０）は、それぞれ、電波コード又は光ファイバーケーブルからなる信号伝送部材（４６）を介して、接触感知装置（３４）に接続している。
【００１２】
前記信号発信接点（４２）と信号受信接点（４４）は、電波コード又は光ファイバーケーブルからなる信号伝送部材（４８）を介して、速度処理装置（３２）に接続している。前記接触感知接点は、フェイス部（８a）のスイートスポット（５０）と、その周囲に複数配置されゴルフボールがフェイス部（８a）のどの位置に当たったかを検出できるようになっている。
【００１３】
上記した構成において、人がグリップ部（４）を握ると、スイッチがオンとなり、ＬＥＤランプ（２０）が点灯し、離すとオフとなり、ＬＥＤランプ（２０）が消える。スイッチがオンとなると、各装置に電源が供給され、作動開始モードとなる。接触感知接点（４０）には、接触感知装置（３４）から微弱な電波又は光波が供給され、接触感知接点（４０）から電波又は光波が発信される。
【００１４】
スイング練習具（２）を振り、ゴルフボールが接触感知接点（４０）に当たると、この接点がボールによって一瞬遮断される。これによって、接触感知装置（３４）は、どの接触感知接点（４０）にボールが当たったかを検知する。この接触感知装置（３４）はマイクロプロセッサー（３０）により制御され、予め組み込まれたプログラムにより、ドローボールやフェードボールあるいはストレートボール等の球質を認定する。
【００１５】
速度処理装置（３２）は、信号発信接点（４２）から電磁波を照射し、信号受信接点（４４）から反射波を受信して、これを測定する。速度処理装置（３２）は、ヘッド部（８）が運動すると、ドップラー効果によって反射波の周波数が変化するという特性を利用して、発射波の周波数と反射波の周波数を比較し、ヘッド部（８）の速さを算出する。
【００１６】
このヘッドスピードのデータと、接触感知装置（３４）のデータは、情報信号・音声信号発信処理装置（２８）に送られ、スピーカー（３６）から、あるいは電波発信装置（２６）を通じて無線で接続するイヤホーンから、例えば「ナイス・ストレート」などの掛け声と「ヘッドスピード何キロメートル、飛距離何ヤード」の音声が出力される。これらのデータは、電波発信装置（２６）を通じて、無線によりパソコンでも受信でき、又、これらのデータは、全てメモリスティック（１８）に記録される。
【００１７】
尚、本発明は、上記ゴルフ用のスイング練習に用いられる装置の実施形態に特に限定されるものではなく、球体を打つ他のスポーツに用いられる打球用具例えば、野球バット、テニスラケット、バトミントンラケット等に、本装置を組み込んで、各種スポーツのスイング練習装置を構成することができる。
【符号の説明】
【００１８】
２      ゴルフスイング練習具
４      グリップ部
６      シャット部
８      ヘッド部
１０    キャップ
１２    筒体
１４    配線基板衝撃吸収材
１６    プリント配線基板
１８    メモリースティック
２０    ＬＥＤランプ
２２    充電プラグコンセント
２４    電池
２６    電波発信装置
２８    情報信号・音色信号発信処理装置
３０    マイクロプロセッサー
３２    速度処理装置
３４    接触感知装置
３６    スピーカー
３８    ゴムスイッチ
４０    接触感知接点
４２    信号発信接点
４４    信号受信接点
４６    信号伝送部材
４８    信号伝送部材
５０    スイートスポット
【図１】
2011083356.tif 000003
【図２】
2011083356.tif 000004
【図３】
2011083356.tif 000005
【図４】
2011083356.tif 000006